(57)【要約】【課題】モニターの輝度により接眼レンズを介した被検眼の観察を妨げることなく、かつモニターの表示機能を損なうことがない眼科装置を提供する。【解決手段】被検眼Ｅを検者が接眼レンズ３２を介して観察する第１の観察手段と、被検眼を電子撮影装置５１で動画撮影し、その撮影された動画をモニター４０に表示して観察する第２の観察手段が設けられる。観察手段として第１の観察手段が選択された時には、第２の観察手段が選択された時に比べて、モニター４０の輝度が減少される。検者はモニターの輝きにより被検眼の観察が妨げられることが防止され、被検眼の観察に集中することができる。【選択図】図１
2012050469.tif 000002
【特許請求の範囲】
【請求項１】
被検眼を検者が接眼レンズを介して観察する第１の観察手段と、被検眼を電子撮影装置で動画撮影し、その撮影された動画を画像表示手段に表示して観察する第２の観察手段と、を備えた眼科装置であって、
前記画像表示手段は、眼科装置の設定条件情報を表示する機能、または眼科装置の操作を行なえるタッチパネル機能の、少なくともどちらか一方の機能を有しており、
観察手段として第１の観察手段が選択された時には、第２の観察手段が選択された時に比べて、前記画像表示手段の輝度が減少されることを特徴とする眼科装置。
【請求項２】
前記画像表示手段は少なくともタッチパネル機能を備えており、タッチパネルを操作したとき、又はシャッタースイッチが操作されたときには、減少した画像表示手段の輝度が増大されることを特徴とする請求項１に記載の眼科装置。
【請求項３】
前記眼科装置は、被検眼を複数の撮影モードで撮影可能な眼科撮影装置であり、撮影前に第１の観察手段を使用して被検眼を観察する撮影モードが選択されたときに、画像表示手段の輝度が減少されることを特徴とする請求項１又は２に記載の眼科装置。
【請求項４】
接眼検知センサーが設けられ、該接眼検知センサーが接眼レンズを介した被検眼の観察を検出したときに、画像表示手段の輝度が減少されることを特徴とする請求項１又は２に記載の眼科装置。
【請求項５】
前記眼科装置は眼科撮影装置であり、静止画撮影した画像を、撮影直後の所定時間、画像表示手段に静止画画像として表示する機能を備え、静止画画像表示中は、画像表示手段の輝度は、観察手段の選択に関わらず所定の輝度となることを特徴とする請求項１から４のいずれか１項に記載の眼科装置。
【請求項６】
前記眼科装置は散瞳、無散瞳兼用型眼底撮影装置であり、撮影前の観察のための観察手段として第１の観察手段が選択された時は可視光にて被検眼眼底を照明し、観察手段として第２の観察手段が選択された時は赤外光にて被検眼眼底を照明することを特徴とする請求項１から５のいずれか１項に記載の眼科装置。
【請求項７】
眼科装置が設置された部屋の明るさを検知するセンサーが設けられ、該センサーが検知した明るさに応じて、画像表示手段の輝度が補正されることを特徴とする請求項１から６のいずれか１項に記載の眼科装置。
【請求項８】
前記眼科装置と通信装置を介して接続されている外部モニターを備え、外部モニターの輝度を前記眼科装置に備えられたモニターの輝度に連動して減少させる機能を備えたことを特徴とする請求項１から７のいずれか１項に記載の眼科装置。
【請求項９】
前記眼科装置と通信装置を介して接続されている外部モニターと、前記眼科装置に備えられたモニターの輝度を連動させるかどうかを設定に応じて変えることができることを特徴とする請求項８に記載の眼科装置。
【発明の詳細な説明】
【技術分野】
【０００１】
本発明は、被検眼を検者が接眼レンズを介して観察する第１の観察手段と、被検眼を電子撮影装置で動画撮影し、その撮影された動画を画像表示手段に表示して観察する第２の観察手段と、を備えた眼科装置に関するものである。
【背景技術】
【０００２】
眼底カメラなどの眼科撮影装置を用いて種々の撮影モードで眼底の撮影が行われている。通常の眼底のカラー撮影を行う場合、被検眼に散瞳剤を点眼して眼底を撮影する散瞳撮影モード、あるいは散瞳剤が被検者に負担を強いるので、散瞳剤なしで赤外光で眼底を照射し、眼底観察を行って撮影を行う無散瞳撮影モードがあり、また、蛍光撮影を行う場合には、可視蛍光像を撮影する可視蛍光撮影モード、赤外蛍光像を撮影する赤外蛍光撮影モードがある。
【０００３】
無散瞳、散瞳の眼底撮影が可能な眼底カメラにおいて、撮影モードが無散瞳撮影モードに切り替えられたときは、観察用光源の光量を散瞳撮影モードのときよりも減少させ、無散瞳で観察像を撮像する白黒ＣＣＤに入射する光量を減少させている（特許文献１）。
【０００４】
また、種々の撮影モードで撮影可能な眼底カメラでは、光学ファインダー（接眼レンズ）を用いて、あるいは白黒ＣＣＤなどで撮影された眼底画像をモニターに動画表示させて眼底観察を行い、アライメントや合焦が完了後、眼底がカラーＣＣＤなどにより電子画像として静止画撮影される。このとき、静止画として撮影された眼底画像を、撮影直後に動画表示に使用されるモニターに静止画として表示させ、所定時間経過後は自動的にあるいは手動でモニターに再び動画像を表示させることが行われている（特許文献２）。
【０００５】
カメラで撮影される対象物を予め視認するための電子式ファインダーを備えた映像機器では、その映像機器の周辺の照度とその変化に応じて、ファインダー内の明度を自動的に調整し、ファインダーでとらえた画像を見やすくする工夫がなされている（特許文献３）。
【０００６】
また、ファインダーを用いて対象物を観察し、液晶などの表示部に撮影データを表示させるカメラなどにおいて、ファインダー近辺に接眼検知センサーを設け、撮影者がファインダーを覗いて接眼が検知された場合、表示部を照明するライトを消灯して、消費電力を低減させることが行われている（特許文献４）。
【０００７】
また、液晶ファインダーを備えたカメラにおいて、使用される記録媒体（フィルム）の種類に応じて液晶の画面表示を変化させることが行われている（特許文献５）。
【先行技術文献】
【特許文献】
【０００８】
【特許文献１】特許３９３０９５７号公報
【特許文献２】特許３９８７７６０号公報
【特許文献３】特開平８−１８８３４号公報
【特許文献４】特開２０１０−１９９７７号公報
【特許文献５】特開平１１−３８４９３号公報
【発明の概要】
【発明が解決しようとする課題】
【０００９】
光学ファインダーを用いて、あるいはモニターを用いて眼底を観察撮影し、撮影された眼底をモニターに動画あるいは静止画表示できる眼科装置では、モニターが所定の輝度で輝いているので、光学ファインダーを用いて眼底を観察撮影する場合に、モニターの輝度により光学ファインダーを介した眼底の観察が妨げられる、という問題がある。
【００１０】
特に、モニターを有する眼科システムを暗室で使用する場合、モニターの輝度が大きいと、光学ファインダーでの観察に集中したい場合、操作者の近傍でモニターが明るく輝いているため、光学ファインダーを介した観察の妨げになる。
【００１１】
特許文献３に記載されたように、機器が使用される外部環境に合わせてファインダー内の明るさを自動的に調整する機構では、ファインダー内の明るさを調整するだけで、モニターの輝度を調節するものではないので、上記問題は解決されない。
【００１２】
また、外部の明るさを検知してモニターの輝度を調節する場合、眼科装置は暗室で使用することが前提となるため、モニターの輝度を暗室の環境に合わせて適度な輝度に調整するだけである。従って、光学ファインダーでの観察を妨げないほど輝度を低下させることはできない。また、光学ファインダーで観察するとき、モニターの輝きが妨げになる場合は、手動でモニターの輝度を調整する、手動でモニターの電源を切る、モニターを横に向ける、モニターを暗幕などで隠すなどの作業が行われている。手動でモニターの輝度を調節する場合、検者は手動操作を要求されるので、検査に集中できない、検査中に手間が増えるなどの問題がある。また、モニター電源を落とす、モニターを横に向ける、モニターを暗幕で隠すなどの作業を行うと、光学ファインダーでの観察はモニターの輝度により妨げられることはないが、モニターに表示されている必要な情報を見ることができなくなる、という問題がある。また、光学ファインダーとモニターを使い分けるたびにモニターの輝度を操作するのは煩わしく、眼科装置の使用性を悪くしてしまう。
【００１３】
特許文献４に記載されたように接眼検知センサーを用いて接眼が検知されたとき、撮影データなどを表示する表示部を照明するライトを自動的に消灯する場合には、撮影者がファインダーを覗いた場合、表示部は暗くなるので、ファインダーでの観察は表示部の輝度により妨げられることはないが、表示部に表示されている必要な情報を見ることができなくなる、という上記と同様な問題がある。
【００１４】
本発明は、このような問題点に鑑みてなされたもので、接眼レンズ並びにモニターを用いて眼底を観察することができる眼科装置で、モニターの輝度により接眼レンズを介した被検眼の観察を妨げることなく、かつモニターの表示機能を損なうことがない眼科装置を提供することを課題とする。
【課題を解決するための手段】
【００１５】
本発明は、
被検眼を検者が接眼レンズを介して観察する第１の観察手段と、被検眼を電子撮影装置で動画撮影し、その撮影された動画を画像表示手段に表示して観察する第２の観察手段と、を備えた眼科装置であって、
前記画像表示手段は、眼科装置の設定条件情報を表示する機能、または眼科装置の操作を行なえるタッチパネル機能の、少なくともどちらか一方の機能を有しており、
観察手段として第１の観察手段が選択された時には、第２の観察手段が選択された時に比べて、前記画像表示手段の輝度が減少されることを特徴とする。
【発明の効果】
【００１６】
本発明では、被検眼の観察手段として、接眼レンズを介した観察手段が選択されたときは、画像表示手段の輝度が減少されるので、検者は画像表示手段の輝きにより被検眼の観察が妨げられることが防止され、被検眼の観察に集中することができる。また、画像表示手段はその輝度が減少されるだけなので、画像表示機能は損なわれることがない。従って、検者は撮影された画像を画像表示手段を介して確実に確認することが可能となり、また画像表示手段に表示されている撮影情報などを視認することが可能となる。
【図面の簡単な説明】
【００１７】
【図１】本発明の眼科装置の全体構成を示した構成図である。
【図２】各種リングスリットの構成を示した構成図である。
【発明を実施するための形態】
【００１８】
以下、図面に示す実施例に基づいて本発明を詳細に説明する。
【実施例】
【００１９】
図１には、眼科撮影装置（眼底カメラ）として構成された本発明の眼科装置の実施例が図示されている。同図において、ハロゲンランプなどの観察用光源１からの光束は、凹面鏡２で集光されたあと、撮影用光源であるストロボ３、コンデンサーレンズ４を経てミラー５で反射され、リレーレンズ２０、２１を通過して穴あき全反射ミラー２２で反射される。この全反射ミラー２２で反射された光束は対物レンズ２３により被検眼Ｅの瞳Ｅｐで結像された後、眼底Ｅｒに入射する。
【００２０】
眼底照明光学系の光路には、無散瞳時に、赤外透過フィルタ６が観察用光源１の後に挿入され、また、標準リングスリット６１、小瞳孔用リングスリット６２、蛍光用リングスリット６３をターレット円盤に配置してターレット円盤を回転させることにより、あるいは、直線上に配置してスライド機構などを用いてスライドさせることにより、そのいずれか一つが照明光学系の光路に挿入される。
【００２１】
図２に詳細に示したように、標準リングスリット６１は、レンズ６１ａ、角膜共役位置にあるリングスリット６１ｂ（例えば外径＝１６ｍｍ、内径＝８ｍｍ）、瞳共役位置にある円形の開口絞り６１ｃ（例えば直径＝１２ｍｍ）、水晶体共役位置にあるリングスリット６１ｄ（例えば外径＝１６ｍｍ、内径＝８ｍｍ）から構成され、これらの各素子６１ａ、６１ｂ、６１ｃ、６１ｄは一体の構成としてユニット化されている。
【００２２】
小瞳孔用リングスリット６２は、レンズ６２ａ、角膜共役位置にあるリングスリット６２ｂ（例えば外径＝１３ｍｍ、内径＝７ｍｍ）、瞳共役位置にある円形の開口絞り６２ｃ（例えば直径＝１０ｍｍ）、それに水晶体共役位置にあるリングスリット６２ｄ（例えば外径＝１３ｍｍ、内径＝７ｍｍ）から構成され、これらの各素子６２ａ、６２ｂ、６２ｃ、６２ｄも一体構成で、ユニット化されている。
【００２３】
蛍光用リングスリット６３は、レンズ６３ａ（例えば直径＝１８ｍｍ）と、瞳共役位置にあるリングスリット６３ｃ（例えば外径＝１６ｍｍ、内径＝２ｍｍ）から構成され、それに７００ｎｍから８００ｎｍの赤外光を通過させる赤外蛍光エキサイタフィルタ４６（図１）が設けられ、同様に、各素子６３ａ、６３ｃ、並びに４６は、一体の構成となっていて、ユニット化されている。
【００２４】
標準のリングスリット６１は、通常使用されるリングスリットで、小瞳孔用のリングスリット６２は、被検者の散瞳状態が十分ではないとき、あるいは被検者が子供のような、いわゆる小瞳孔に対して使用される。蛍光用リングスリット６３は、主に赤外蛍光撮影のときに用いられるもので、照明光を多く入射させることができる。可視蛍光撮影の時は、通常標準リングスリット６１が用いられるが、光量が要求される場合には、蛍光用リングスリット６３を用いることができる。
【００２５】
可視蛍光撮影時には、レンズ４とミラー５間の光路に４５０ｎｍから５２０ｎｍの青色光束を通過させる可視蛍光エキサイタフィルタ４５が挿入され、赤外蛍光撮影時には、蛍光用リングスリット６３が照明光学系光路に挿入されるので、それと一体に構成された赤外蛍光エキサイタフィルタ４６が照明光学系光路に挿入される。
【００２６】
被検眼Ｅの眼底Ｅｒからの反射光は、再び瞳Ｅｐの中心部を通過して対物レンズ２３を介して受光され、穴あき全反射ミラー２２の穴を通過し、観察撮影光学系の光路に配置された撮影絞り２４、フォーカスレンズ２５、２６、結像レンズ２７を通過してリターンミラー３０に入射する。結像レンズ２７は、倍率の異なる結像レンズ２８と交換できこれにより変倍機構を構成している。また、この観察撮影光路で撮影絞り２４とフォーカスレンズ２５の間に、可視蛍光撮影時、眼底からの可視蛍光を透過させるために可視蛍光バリアフィルタ４２が挿入される。
【００２７】
リターンミラー３０で反射された眼底からの光束は、リターンミラー３１で反射され肉眼観察光学系を構成する接眼レンズ（光学ファインダー）３２に入射するので、検者は接眼レンズ３２を介して眼底像を観察することができる。また、赤外透過フィルタ６を挿入し、リターンミラー３１が跳ね上がって光路より離脱すると、眼底からの光束はリターンミラー３３により反射されて赤外光用観察光学系に入射する。この赤外光用観察光学系は、赤外光に感度を有する赤外ＣＣＤ（赤外光用電子撮影装置）５１を有し、これにより撮像された赤外眼底像は、切替回路３９を介してＬＣＤなどでタッチパネルとして構成された画像表示手段としてのモニター４０に表示される。この赤外ＣＣＤ５１は、眼底観察中の画像を動画撮影するので、モニター４０には、眼底観察中に撮像される眼底の赤外動画像が表示され、検者はこの眼底像をモニター４０で観察しながら、アライメントや焦点合わせを行うことができる。このように、図１に示した眼科装置では、被検眼の眼底を検者が接眼レンズ３２を介して観察する第１の観察手段（対物レンズ２３から接眼レンズ３２までの光学系を含む）と、被検眼眼底を電子撮影装置で動画撮影し、その撮影された動画を画像表示手段としてのモニター４０に表示して観察する第２の観察手段（対物レンズ２３からリターンミラー３３までの光学系、赤外ＣＣＤ５１、モニター４０などを含む）を有している。
【００２８】
赤外ＣＣＤ５１は、後述するように、赤外蛍光撮影をするときに、ストロボ３の発光により得られる眼底像を静止画像としても撮像する。赤外ＣＣＤ５１の感度は、ゲイン切換回路５２により撮影時には低いゲイン値に、観察時には、高いゲイン値に設定される。
【００２９】
リターンミラー３１とリターンミラー３３間の光路には、赤外蛍光撮影時、８２０ｎｍから９００ｎｍの赤外光を透過させる赤外蛍光バリアフィルタ４３が挿入される。
【００３０】
リターンミラー３３が跳ね上がって光路から離脱すると、眼底からの光束は、ミラー５０で反射され、可視光に感度を有するカラーＣＣＤ（可視光用電子撮影装置）３６に入射し、眼底が静止画撮影され、その画像が切替回路３９を介してモニター４０に静止画像として表示される。
【００３１】
なお、電子撮影装置３６、５１で撮像された眼底画像は記録部５３に記録でき、記録部５３には、蛍光撮影時に用いられるタイマー５４が接続される。これにより、撮影された時刻をタイマー５４で計測し、眼底画像を、その撮影時刻とともに、記録部５３に記録することができる。
【００３２】
また、リターンミラー３０が跳ね上がって光路から離脱する時には、眼底画像が３５ｍｍフィルムのような写真フィルム４４に撮影できるようになっている。この写真フィルムの代わりにカラーＣＣＤ３６と同等な電子撮影装置を用いて眼底像を撮影することもできる。
【００３３】
このように構成された眼科装置では、散瞳撮影、無散瞳撮影、可視蛍光撮影、赤外蛍光撮影の各撮影モードで撮影が可能であり、通常のカラー撮影は散瞳撮影あるいは無散瞳撮影で行われる。
【００３４】
撮影モードの選択は、操作部１１に設けられた散瞳撮影スイッチ１１ａ、無散瞳撮影スイッチ１１ｂ、可視蛍光撮影スイッチ１１ｃ、赤外蛍光撮影スイッチ１１ｄを操作することにより行われ、その選択信号が制御部１０に送信される。制御部１０は、信号線Ａで示したように、撮影モードの選択に応じてリングスリット６１、６２、６３の切り替え、赤外透過フィルタ６、可視蛍光エキサイタフィルタ４５の光路への挿脱、リターンミラー３１の光路への挿脱を制御する。図１では、図が煩雑になるために信号線では図示されていないが、制御部１０はその他撮影モードに応じてバリアフィルタ４２、４３の光路への挿脱なども制御する。
【００３５】
制御部１０には、シャッタースイッチ１３からのシャッター操作信号が入力され、制御部１０はシャッタースイッチ１３が操作されると、信号線Ｂで示したように、撮影モードに応じてリターンミラー３０、３１、３３を光路に挿入するか、あるいは光路から離脱させるとともに、ストロボ３を発光させる。
【００３６】
モニター４０の輝度を調整するために、輝度調整回路１２が設けられており、観察手段として接眼レンズ３２が選択された時には、観察手段としてモニター４０が選択された時に比べて、モニター４０の輝度が減少される。
【００３７】
操作部１１には、ＴＶスイッチ１１ｅが設けられ、このスイッチ１１ｅを操作することによっても、輝度調整回路１２を介してモニター４０の輝度が調整される。
【００３８】
画像表示手段としてのモニター４０は、撮影された眼底画像を表示するほかに、撮影モード、撮影日時、被検眼ＩＤ、撮影光量などの撮影に関した設定条件情報を表示する機能、あるいはスイッチ１１ａ〜１１ｅと同等な操作を行えるタッチスイッチ、その他タッチ操作を備えたタッチパネル機能の、少なくともどちらか一方の機能を有している。
【００３９】
また、眼科装置には、図１で一点鎖線の区画で示したように、外部モニター７０、パーソナルコンピューター（ＰＣ）で実現される外部記憶装置７１がＬＡＮなどの通信装置を介して切替回路３９を通して接続されている。外部記憶装置７１、外部モニター７０は、それぞれ眼科装置の記録部５３、モニター４０と同じ機能を有し、外部モニター７０の輝度は、制御部１０からの信号により輝度調整回路７２を介して調整できるようになっている。
【００４０】
以下に、このように構成された眼科装置の機能について説明する。
【００４１】
上述した眼科装置では、散瞳撮影、無散瞳撮影、可視蛍光撮影、赤外蛍光撮影の各撮影モードを選択でき、散瞳撮影スイッチ１１ａを操作して散瞳撮影モードが選択された場合には、被検者に散瞳剤が点眼される。このとき赤外透過フィルタ６は光路から離脱され、またリングスリットとしては、通常の場合は標準リングスリット６１が、また小瞳孔の場合は、小瞳孔用リングスリット６２が選択されて光路に挿入される。
【００４２】
バリアフィルタ４２、４３は蛍光撮影のためのものであるので、光路から離脱されており、リターンミラー３０、３１、３３は図示の位置を占めている。観察用光源１からの光束は、ミラー５で反射された後、標準リングスリット６１（あるいは小瞳孔用リングスリット６２）、リレーレンズ２０、２１を通過して穴あき全反射ミラー２２で反射されて対物レンズ２３に入り、眼底Ｅｒを可視光で照明する。
【００４３】
被検眼Ｅの眼底Ｅｒからの反射光は、対物レンズ２３、穴あき全反射ミラー２２、撮影絞り２４、フォーカスレンズ２５、２６、結像レンズ２７を通過してリターンミラー３０、３１を介して接眼レンズ３２に入射する。それにより検者は接眼レンズ３２を介して眼底を観察できるので、アライメント、焦点合わせなどの位置合わせを行うことができる。
【００４４】
散瞳撮影時には、接眼レンズ３２を介して観察を行う観察手段が選択されるので、輝度調整回路１２によりモニター４０は、眼底画像をモニター４０に表示して観察するときに比較してその輝度が、たとえば１／２程度に自動的に減少される。モニター４０の輝度が減少されることにより、検者はモニター４０の輝きに惑わされないので、接眼レンズ３２を介した眼底観察が妨げられることが防止される。モニター４０には、選択された撮影モードなどの撮影に関連した設定条件情報が表示され、また種々のタッチスイッチなどが配列されているが、モニター４０は消灯されるのではなく、その輝度が減少されるだけなので、検者は設定条件情報を視認することができ、また検者はタッチスイッチを操作することができる。従って、モニター４０はその機能は損なわれることがなく、通常の機能を果たすことができる。
【００４５】
眼底観察により、アライメント、焦点合わせが完了すると、シャッタースイッチ１３が操作される。この操作に連動して、制御部１０はリターンミラー３１、３３（あるいはリターンミラー３０）を光路から離脱させるとともに、ストロボ３を発光させるので、眼底がカラーＣＣＤ３６（あるいはフィルム４４）にカラーで静止画撮影される。撮影された眼底は切替回路３９を介してモニター４０に所定時間表示され、記録部５３にも記録される。そのとき、タイマー５４で撮影時刻が計測されるので、その撮影時刻とともに眼底画像を記録部５３に記録することができる。
【００４６】
一方、無散瞳撮影スイッチ１１ｂが操作されて、無散瞳撮影モードが選択されると、赤外透過フィルタ６が挿入され、リングスリットとして小瞳孔用リングスリット６２が選択され、リターンミラー３１が跳ね上がって光路から離脱される。赤外透過フィルタ６が光路に挿入されることにより、眼底は赤外光で照明される。赤外光で照明された眼底は、撮影光学系を介して赤外ＣＣＤ５１により動画像として撮像され、この画像が切替回路３９を介してモニター４０に動画像として表示される。検者はモニター４０に表示される眼底を観察することにより、アライメント、焦点合わせなどの位置合わせを行うことができる。当然のことながら、接眼レンズ３２を介した観察は行われないので、モニター４０の輝度は輝度調整回路１２により減少されることはない。
【００４７】
アライメント、焦点合わせが完了した後の撮影は、散瞳撮影のときと同様であり、シャッタースイッチ１３の操作に応じてリターンミラー３３（あるいはリターンミラー３０）が光路から離脱され、ストロボ３が発光されるので、眼底がカラーＣＣＤ３６（あるいはフィルム４４）に静止画として撮影され、モニター４０に所定時間表示され、またその静止画が記録部５３に撮影時刻とともに記録される。
【００４８】
可視蛍光撮影スイッチ１１ｃが操作され、可視蛍光撮影モードが選択されたときは、リングスリットは、通常の瞳孔か小瞳孔かに応じて標準あるいは小瞳孔用リングスリット６１、６２が選択され、また、可視蛍光エキサイタフィルタ４５が光路に挿入される。観察は接眼レンズ３２を介して行われるので、リターンミラー３１が光路に挿入される。散瞳撮影のときと同様に、輝度調整回路１２により、モニター４０の輝度が、たとえば１／２程度に自動的に減少される。従って、接眼レンズ３２を用いた眼底観察がモニター４０の輝きにより妨げられることが防止される。またモニター４０はその輝度が減少されるだけなので、検者は設定条件情報を視認することができ、また検者はタッチスイッチを操作することができ、モニター４０は通常の機能を果たすことができる。
【００４９】
アライメント、焦点合わせが完了すると、蛍光剤が静注され、可視蛍光バリアフィルタ４２が光路に挿入され、タイマー５４が計時を開始する。所定時間Ｔ１が経過すると、可視蛍光エキサイタフィルタ４５を通過した励起光により眼底に可視蛍光像が発生するので、シャッタースイッチ１３が操作される。このとき、リターンミラー３１、３３が跳ね上がり光路から離脱するとともに、ストロボ３が発光するので、可視蛍光像がカラーＣＣＤ３６により静止画撮影される。撮影された可視蛍光像は、切替回路３９を介してモニター４０に静止画として所定時間表示されるとともに、記録部５３に撮影時刻とともに記録される。シャッタースイッチ１３が操作されるごとに同様な動作となり、可視蛍光像の撮影が行われる。
【００５０】
赤外蛍光撮影スイッチ１１ｄが操作され、赤外蛍光撮影モードが選択されると、リングスリットとしては、眼底への照明光量が最大となる蛍光用リングスリット６３が光路に挿入され、これと一体となった赤外蛍光エキサイタフィルタ４６も光路に挿入される。また、無散瞳撮影のときと同様に、リターンミラー３１が跳ね上がって光路から離脱される。赤外蛍光エキサイタフィルタ４６が光路に挿入されることにより、眼底は赤外光で照明される。赤外光で照明された眼底は、撮影光学系を介して赤外ＣＣＤ５１により動画像として撮像され、この画像が切替回路３９を介してモニター４０に動画像として表示される。検者はモニター４０に表示される眼底を観察することにより、アライメント、焦点合わせなどの位置合わせを行うことができる。無散瞳撮影のときと同様に、接眼レンズ３２を介した観察は行われないので、モニター４０の輝度は輝度調整回路１２により減少されることはない。なお、赤外ＣＣＤ５１の感度は、観察時には、ゲイン切換回路５２により撮影時よりも高いゲイン値に設定される。
【００５１】
アライメント、焦点合わせが完了すると、蛍光剤が静注され、赤外蛍光バリアフィルタ４３が挿入され、タイマー５４が計時を開始する。所定時間Ｔ２が経過すると、赤外蛍光エキサイタフィルタ４６を通過した励起光により眼底に赤外蛍光像が発生するので、シャッタースイッチ１３が操作され、ストロボ３が発光する。このとき、リターンミラー３０は、図示の位置に固定され、リターンミラー３１は跳ね上げられて固定されているので、シャッタースイッチ１３が操作されるごとに、蛍光赤外像が赤外ＣＣＤ５１により静止画撮像され、切替回路３９を介してモニター４０に静止画像として所定時間表示されるとともに、記録部５３に撮影時刻とともに記録される。赤外ＣＣＤ５１の感度は、ゲイン切換回路５２により観察時よりも低いゲイン値に設定される。
【００５２】
以上、説明したように、接眼レンズを介して眼底観察が行われるとき（散瞳撮影ないし可視蛍光撮影が行われるとき）、モニターの輝度が減少されるので、検者はモニターの輝きにより被検眼の観察が妨げられることが防止され、被検眼の観察に集中することができる。また、モニターはその輝度が減少されるだけなので、モニターの表示機能は損なわれることがなく、検者は撮影された画像をモニターを介して確実に確認することが可能となる。
【００５３】
上記実施例において、モニター４０には、各撮影モードにおいてストロボ３の発光により静止画撮影された眼底画像が撮影直後の所定時間静止画像として表示される。この場合、モニター４０に静止画として表示中は、モニター４０の輝度は、接眼レンズ３２を観察手段にするかあるいはモニター４０を観察手段にするかに関わらず所定の輝度、たとえばモニター４０を観察手段にしたときの輝度あるいはそれ以上の高い輝度となるようにしておく。これにより、検者は静止画として撮影された被検眼眼底を明るい輝度でモニター４０で確認することが可能となる。
【００５４】
また、上記実施例では、散瞳撮影、あるいは可視蛍光撮影時、接眼レンズ３２を用いて眼底を観察する場合、モニター４０の輝度を自動的に暗くなるように調整したが、モニター４０のタッチパネルを操作した場合（たとえば、タッチパネルの一か所を手で触るなど）、モニター４０に表示されている情報を確認する必要があると判断して、予め決められた時間だけ、減少したモニター４０の輝度を上げるように、たとえば減少する前の輝度に戻すようにしてもよい。これにより、簡単な操作でモニター４０の輝度を戻すことができ、モニター４０に表示されている画像あるいは情報を確認することが可能となる。
【００５５】
また、シャッタースイッチ１３を操作するときには、眼底観察は終了しており、モニター４０が輝いていても障害はないので、シャッタースイッチ１３を操作したとき、その操作信号を図１で一点鎖線で示したように操作部１１に送り、輝度調整回路１２を介して、観察時に減少したモニター４０の輝度を元の輝度に戻すようにしてもよい。
【００５６】
また、眼科装置に直接接続されているモニター４０だけではなく、眼科装置と通信機能を介して接続されている外部モニター７０に対しても、同様なモニターの輝度調整を行うようにしてもよい。これは、モニター４０の輝度調整に連動して制御部１０より制御信号を輝度調整回路７２に送り、外部モニター７０の輝度をモニター４０の輝度と同様に調整することにより行うようにする。例えば、モニター４０の輝度を５０％減少させる場合には、外部モニター７０の輝度も５０％減少させる、などである。しかしながら、外部モニター７０は眼科装置から離れて設置される場合もあり、その場合にはこういう輝度調整を行なわないほうが好まれることもある。従って、設定に応じてモニター４０と外部モニター７０は別々の輝度調整が可能なようにしておくのがよい。例えば、眼科装置のモニター４０の輝度のみ自動減光を行うか、モニター４０と外部モニター７０の両方を連動して同じ比率であるいは異なる比率で自動減光を行うかを、操作部１１に設けたスイッチ（不図示）で使用者が選択できるようにするのが好ましい。
【００５７】
また、上述した実施例では、操作部１１における撮影スイッチ１１ａ〜１１ｄのスイッチ操作により接眼レンズ３２を用いた眼底観察が選択されたことを判断しているが、赤外光を発光する発光素子と、当該赤外光の検者の顔からの反射を受光する受光素子からなる接眼検知センサーを設け、この接眼検知センサーにより接眼レンズを介した検者の眼底観察が行われていることを検知して、モニター４０の輝度を自動的に低く調節するようにしてもよい。
【００５８】
また、眼科装置が暗い部屋に設置される場合には、モニター４０の輝度をそれに応じて暗くするなど、眼科装置が設置される部屋の明るさを検知し、部屋の明るさに応じてモニターの輝度を補正するようにしてもよい。
【００５９】
また、操作部１１に設けたＴＶスイッチ１１ｅを操作することにより、輝度調整回路１２を介してモニター４０の輝度を調整する（明るくあるいは暗くする）ようにしてもよく、通常の輝度（基準輝度）と減光したときの輝度、をそれぞれ使用者の好みに合わせて設定できるようにしておくのもよい。
【符号の説明】
【００６０】
６  赤外透過フィルタ
１０  制御部
１１  操作部
１１ａ  散瞳撮影スイッチ
１１ｂ  無散瞳撮影スイッチ
１１ｃ  可視蛍光撮影スイッチ
１１ｄ  赤外蛍光撮影スイッチ
１２  輝度調整回路
１３  シャッタースイッチ
３２  接眼レンズ
３６  カラーＣＣＤ
４０  モニター
４２  可視蛍光バリアフィルタ
４３  赤外蛍光バリアフィルタ
４５  可視蛍光エキサイタフィルタ
４６  赤外蛍光エキサイタフィルタ
５１  赤外ＣＣＤ
５３  記録部
６１  標準リングスリット
６２  小瞳孔用リングスリット
６３  蛍光用リングスリット  
７０  外部モニター
７１  外部記憶装置
７２  輝度調整回路
【図１】
2012050469.tif 000003
【図２】
2012050469.tif 000004